(57)【要約】【課題】使い勝手の良いファクシミリ装置を提供する。【解決手段】送信先の電話番号を受け付けるファックス番号受付部１０１と、電話番号を発呼し、被呼端末から被呼電話番号を受信し、発呼電話番号と照合する照合部１１７と、電話番号毎に照合の要否の指定を記憶するアドレス帳記憶部１０３と、送信先に画像データを送信する送信部１１９と、照合指定部の指定に従って、照合必要指定の場合、照合部１１７に照合を行わせ、被呼電話番号と発呼電話番号が一致していると判定されたとき、送信部１１９に画像データを送信させ、一致しないと判定されたとき、画像データの送信を禁止し、照合不要指定の場合、無条件で送信部１１９に画像データを送信させる判定部１０７と、を備える。【選択図】図２
2008141333.tif 000002
【特許請求の範囲】
【請求項１】
送信先の電話番号を受け付ける宛先受付部と、
前記電話番号を発呼し、被呼端末から被呼電話番号を受信し、発呼電話番号と照合する照合部と、
前記電話番号毎に前記照合部による照合の要否を指定する照合指定部と、
前記送信先に画像データを送信する送信部と、
前記照合指定部の前記指定に従って、照合必要指定の場合、前記照合部に照合を行わせ、前記被呼電話番号と前記発呼電話番号が一致していると判定されたとき、前記送信部に前記画像データを送信させ、一致しないと判定されたとき、前記画像データの送信を禁止し、照合不要指定の場合、無条件で前記送信部に前記画像データを送信させる制御部と、を備えるファクシミリ装置。
【請求項２】
請求項１に記載のファクシミリ装置において、
複数の宛先の電話番号を記憶する電話番号記憶部を含み、
前記宛先受付部は、前記電話番号記憶部の前記複数の宛先の電話番号の中から選択された前記送信先の電話番号も受け付けることができ、
前記制御部は、前記宛先受付部が受け付けた前記電話番号が前記電話番号記憶部から選択されたものでない場合は、前記照合部により照合を行い、前記被呼電話番号と前記発呼電話番号が一致すると判定されたときに、前記送信部に前記画像データを送信させ、前記照合部により前記被呼電話番号と前記発呼電話番号が一致しないと判定されたときは、前記画像データの送信を禁止し、前記宛先受付部が受け付けた前記電話番号が前記電話番号記憶部から選択されたものの場合は、無条件で前記送信部に前記画像データを送信させるファクシミリ装置。
【請求項３】
請求項２に記載のファクシミリ装置において、
前記照合指定部は、
前記照合部による照合の要否の設定を前記電話番号毎に受け付ける設定受付部と、
前記設定受付部が受け付けた前記設定を前記電話番号毎に対応付けて前記電話番号記憶部に登録する設定登録部と、を含み、
前記制御部は、前記電話番号記憶部を参照し、前記宛先受付部が受け付けた前記電話番号に対応する前記設定が照合不要設定の場合は、無条件で前記送信部に前記画像データを送信させ、照合必要設定の場合は、前記照合部により照合を行い、前記被呼電話番号と前記発呼電話番号が一致すると判定されたときに、前記送信部に前記画像データを送信させ、一致しないと判定されたときは、前記画像データの送信を禁止するファクシミリ装置。
【請求項４】
請求項３に記載のファクシミリ装置において、
前記設定受付部は、前記電話番号記憶部に記憶された前記電話番号が内線番号であることの設定を受け付けて、自動的に照合不要設定とし、それ以外は自動的に照合必要設定とするファクシミリ装置。
【請求項５】
請求項１乃至４いずれかに記載のファクシミリ装置において、
前記被呼電話番号との照合不要を示す所定の指示記号が、前記宛先受付部が受け付けた前記電話番号に付加されているか否かを判定する判定部を含み、
前記制御部は、前記判定部により前記指示記号が付加されていると判定された場合、無条件で前記送信部に前記画像データを送信させるファクシミリ装置。
【請求項６】
請求項５に記載のファクシミリ装置において、
前記送信先の前記電話番号に、前記指示記号を付加する操作を受け付けることができる操作受付部を含むファクシミリ装置。
【発明の詳細な説明】
【技術分野】
【０００１】
本発明は、ファクシミリ装置に関し、特に、被呼局から返信される識別情報に基づいて相手先を確認してからファクシミリ送信可能なファクシミリ装置に関する。
【背景技術】
【０００２】
所望の相手とは異なる相手に誤送信されるのを防止する従来のファクシミリ装置としては、たとえば特許文献１に記載されたものがある。同文献に記載されたファクシミリ装置は、ユーザが所望の相手方とデータ通信を実行すべく正確なダイヤル発呼操作を行った場合であっても、電話会社側の回線交換機の誤動作などに起因して、異なる相手先と回線接続された場合に、その相手方に所定のデータが謝って送信されることを防止するものである。この従来のファクシミリ装置は、ダイヤル発行番号のデータとこのダイヤル発呼により回線接続がなされた被呼側から送信されてくる被呼側のダイヤル番号のデータとを比較する比較手段を備え、これら双方のダイヤル番号が一致しないときには、本来送信すべきデータに代えて、これとは別に準備された所定のデータ、たとえば、誤送信を通知するようなメッセージを含むデータが送信されるように構成されている。
【０００３】
また、特許文献２に記載されたファクシミリ装置は、発呼した電話番号とＣＳＩの一致、不一致の判定を行うか否かをオペレータが発呼確認スイッチなどで選択することができる構成を有している。
【特許文献１】特開平６−１７８００４号公報
【特許文献２】特開平１１−８７４５号公報
【発明の開示】
【発明が解決しようとする課題】
【０００４】
しかしながら、上記文献記載の従来技術は、被呼端末側で、発信元として登録されている電話番号には、外線番号が登録されているのが一般的であり、内線番号で発呼した場合に、正しい相手先に接続されているのにも関わらず、被呼端末側から返信されるＣＳＩ信号に含まれる発信元電話番号が外線番号であるために、発呼した内線番号と一致せず、送信ができないことがある点で改善の余地を有していた。
【０００５】
本発明は上記事情に鑑みてなされたものであり、その目的とするところは、使い勝手の良いファクシミリ装置を提供することにある。
【課題を解決するための手段】
【０００６】
本発明によれば、送信先の電話番号を受け付ける宛先受付部と、
前記電話番号を発呼し、被呼端末から被呼電話番号を受信し、発呼電話番号と照合する照合部と、
前記電話番号毎に前記照合部による照合の要否を指定する照合指定部と、
前記送信先に画像データを送信する送信部と、
前記照合指定部の前記指定に従って、照合必要指定の場合、前記照合部に照合を行わせ、前記被呼電話番号と前記発呼電話番号が一致していると判定されたとき、前記送信部に前記画像データを送信させ、一致しないと判定されたとき、前記画像データの送信を禁止し、照合不要指定の場合、無条件で前記送信部に前記画像データを送信させる制御部と、を備えるファクシミリ装置が提供される。
【０００７】
この発明によれば、発呼番号と被呼局から返信される電話番号とが一致した場合にファクシミリ送信を許可するファクシミリ装置において、電話番号毎に被呼電話番号との照合の要否の指定ができるので、照合不要の送信先に対して照合せずに送信することが可能となる。これにより、たとえば内線番号は照合しない指定をすることにより、被呼局から返信される電話番号が外線番号の場合に、発呼電話番号（内線）と被呼電話番号（外線）とが一致しないために正しい相手なのに送信できないといったことがなくなり、使い勝手が向上する。
【０００８】
上記ファクシミリ装置において、複数の宛先の電話番号を記憶する電話番号記憶部を含むことができ、前記宛先受付部は、前記電話番号記憶部の前記複数の宛先の電話番号の中から選択された前記送信先の電話番号も受け付けることができ、前記制御部は、前記宛先受付部が受け付けた前記電話番号が前記電話番号記憶部から選択されたものでない場合は、前記照合部により照合を行い、前記被呼電話番号と前記発呼電話番号が一致すると判定されたときに、前記送信部に前記画像データを送信させ、前記照合部により前記被呼電話番号と前記発呼電話番号が一致しないと判定されたときは、前記画像データの送信を禁止し、前記宛先受付部が受け付けた前記電話番号が前記電話番号記憶部から選択されたものの場合は、無条件で前記送信部に前記画像データを送信させることができる。
【０００９】
この構成によれば、頻繁に使用するワンタッチダイヤルまたは短縮ダイヤル、あるいはアドレス帳に登録されている電話番号から発信する場合は、照合を行わずに送信することができるので、内線番号が登録されているために、正しい相手なのに照合不一致のために送信できないといったこともなくなり、使い勝手が向上する。
【００１０】
上記ファクシミリ装置において、前記照合指定部は、前記照合部による照合の要否の設定を前記電話番号毎に受け付ける設定受付部と、前記設定受付部が受け付けた前記設定を前記電話番号毎に対応付けて前記電話番号記憶部に登録する設定登録部と、を含むことができ、前記制御部は、前記電話番号記憶部を参照し、前記宛先受付部が受け付けた前記電話番号に対応する前記設定が照合不要設定の場合は、無条件で前記送信部に前記画像データを送信させ、照合必要設定の場合は、前記照合部により照合を行い、前記被呼電話番号と前記発呼電話番号が一致すると判定されたときに、前記送信部に前記画像データを送信させ、一致しないと判定されたときは、前記画像データの送信を禁止することができる。この構成によれば、予め電話番号毎に、照合の要否の設定ができる。
【００１１】
上記ファクシミリ装置において、前記設定受付部は、前記電話番号記憶部に記憶された前記電話番号が内線番号であることの設定を受け付けて、自動的に照合不要設定とし、それ以外は自動的に照合必要設定とすることができる。この構成によれば、内線番号であることを設定した場合に自動的に照合を省略することができる。
【００１２】
上記ファクシミリ装置において、前記被呼電話番号との照合不要を示す所定の指示記号が、前記宛先受付部が受け付けた前記電話番号に付加されているか否かを判定する判定部を含むことができ、前記制御部は、前記判定部により前記指示記号が付加されていると判定された場合、無条件で前記送信部に前記画像データを送信させることができる。この構成によれば、所定の指示記号が付加された電話番号を受け付けた場合に、照合を省略することができる。内線番号を登録時に指示記号を付加して登録するだけでよい。
【００１３】
上記ファクシミリ装置において、
前記送信先の前記電話番号に、前記指示記号を付加する操作を受け付けることができる操作受付部を含むことができる。この構成によれば、電話番号に所定の指示記号を付加して入力すれば、照合を省略することができる。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、使い勝手の良いファクシミリ装置が提供される。
【発明を実施するための最良の形態】
【００１６】
以下、本発明の実施の形態について、図面を用いて説明する。尚、すべての図面において、同様な構成要素には同様の符号を付し、適宜説明を省略する。
【００１７】
（第一の実施の形態）
図１は、本発明の実施の形態に係るファクシミリ装置１０の構成を示すブロック図である。図２は、図１のファクシミリ装置１０の機能ブロック図である。なお、以下の各図において、本発明の本質に関わらない部分の構成については省略してある。
【００１８】
図１に示すように、本実施形態のファクシミリ装置１０は、ＣＰＵ（Central Processing Unit）１１と、ＲＯＭ（Read Only Memory）１３と、ＲＡＭ（Random Access Memory）１５と、画像メモリ１７と、表示部１９と、操作部２１と、スキャナ２３と、モデム２５と、ＮＣＵ（Network Control Unit）２７と、印字出力部３１と、を備えている。
【００１９】
ＣＰＵ１１は、ファクシミリ装置１０の各要素とバス３３を介して互いに接続され、ＲＯＭ１３に予め格納されているプログラムを実行し、各要素とともに装置全体を制御する。ＲＯＭ１３は、ファクシミリ装置１０を動作させるための各種プログラムおよびデータが予め格納されている。ＲＡＭ１５は、ＣＰＵ１１が使用する作業領域などを含む。画像メモリ１７は、スキャナ２３が読み取った原稿の画像データを記憶する。表示部１９は、ファクシミリ装置１０の操作パネルに設けられた液晶ディスプレイ表示器、ランプ、ＬＥＤ、あるいはＣＲＴモニタなどであり、各種情報表示、操作画面表示、ファクシミリ装置１０の動作や状態表示などを行う。
【００２０】
操作部２１は、ファクシミリ装置１０の操作パネルに設けられた操作ボタン、スイッチ、レバー、タッチパネル、あるいはキーボード、マウスなどであり、ユーザから各種設定、指示、入力などの操作を受け付ける。スキャナ２３は、ＣＣＤを利用して原稿を読み取り、画像データを生成する。モデム２５は、ＮＣＵ２７を介してＰＳＴＮ（Public Switched Telephone Networks：公衆交換電話網）２９に接続され、ＰＳＴＮ２９上の他の端末と通信を行うために、デジタルデータと音声信号との相互変換を行う。印字出力部３１は、スキャナ２３が読み取った原稿の画像データをコピーとして印刷したり、モデム２５がＰＳＴＮ２９を介して他の端末から受信したファクシミリ原稿の画像データを用紙に印刷したりする。
【００２１】
本実施形態のファクシミリ装置１０は、送信先の電話番号を受け付ける宛先受付部（ファックス番号受付部１０１）と、電話番号を発呼し、被呼端末から被呼電話番号を受信し、発呼電話番号と照合する照合部（発呼部１１１、ＩＤ受信部１１５、照合部１１７）と、電話番号毎に照合部による照合の要否を指定する照合指定部（アドレス帳記憶部１０３、ファックス番号受付部１０１）と、送信先に画像データを送信する送信部（送信部１１９）と、照合指定部の指定に従って、照合必要指定の場合、照合部に照合を行わせ、被呼電話番号と発呼電話番号が一致していると判定されたとき、送信部に画像データを送信させ、一致しないと判定されたとき、画像データの送信を禁止し、照合不要指定の場合、無条件で送信部に画像データを送信させる制御部（判定部１０７）と、を備える。
【００２２】
また、ファクシミリ装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２３】
本実施形態において、発呼電話番号と被呼電話番号の照合を行うＩＤチェックを行うか否かを電話番号毎に予め指定することができる。ファクシミリ装置１０は、ＰＳＴＮ２９を介して接続された他のファクシミリ装置５０からＮＳＦ（被標準装置信号）／ＣＳＩ（被呼端末識別信号）／ＤＩＳ（ディジタル識別信号）を受信する。ここで、ＣＳＩには、他のファクシミリ装置５０に予め登録されている発信元電話番号が含まれている。
【００２４】
本実施形態において、「ＩＤチェック」とは、このＣＳＩに含まれる被呼局の電話番号と、発呼電話番号が一致するか否かを照合することである。ＩＤチェックで電話番号が一致した場合に画像データの送信が許可される。通常、発信元電話番号としては、外線番号を登録されているケースが多い。したがって、内線番号と用いて発呼した場合でも、相手先から返されるＣＳＩに含まれる発信元電話番号が外線番号である場合があり、その場合、正しい相手先に接続されているにも関わらず、照合不一致で画像データの送信ができなくなってしまう。このような不都合を回避するために、本実施形態のファクシミリ装置１０では、電話番号毎にＩＤチェックを行うか否かを指定することができる。
【００２５】
具体的には、本実施形態のファクシミリ装置１０は、ファックス番号受付部（図中、「ＦＡＸ番号受付部」と示す）１０１と、アドレス帳記憶部（図中、「アドレス帳」と示す）１０３と、番号一時記憶部（図中、「番号」と示す）１０５と、判定部１０７と、送信指示受付部１０９と、発呼部１１１と、接続部１１３と、ＩＤ受信部１１５と、照合部１１７と、送信部１１９と、を備えている。
【００２６】
ファックス番号受付部１０１は、送信先の電話番号を受け付ける。たとえば、ユーザが操作部２１から入力した送信先の電話番号を受け付ける。あるいは、アドレス帳記憶部１０３に記憶されている電話帳などからユーザによって選択された電話番号を受け付ける。
【００２７】
アドレス帳記憶部１０３は、複数の送信先の名称、電話番号（ファクシミリ番号）などの情報を記憶する。また、本実施形態のファクシミリ装置１０では、ワンタッチダイヤルのように所定の操作キーに対応付けて送信先を登録したり、短縮ダイヤルのように短縮番号に対応付けて送信先を登録したりすることができ、これらの登録情報を記憶する。
【００２８】
本実施形態において、短縮ダイヤルを設定する際、予めＩＤチェックを行うか否かを電話番号毎に指定することができる。図３は、本実施形態のファクシミリ装置１０の短縮ダイヤル設定画面の一例を示す図である。図３の設定画面２００では、短縮ダイヤル番号２０１毎に、相手先２０３を設定できるようになっている。設定画面２００は、相手先番号入力欄２０７、相手先名入力欄２０９、読み仮名入力欄２１１、およびＩＤチェック指定欄２１３を含む。ＩＤチェック指定欄２１３では、反転表示部２１５を操作すると、ＩＤチェックを「する」または「しない」が交互に表示されるようになっており、ＩＤチェックを行うか否かを指定することができるようになっている。設定画面２００における設定が終了したとき、閉じるボタン２０５を押下し、設定画面２００を閉じることで、設定完了となり、アドレス帳記憶部１０３に記憶されることとなる。
【００２９】
図４は、アドレス帳記憶部１０３に含まれる短縮ダイヤル記憶部３００の構造の一例を示す図である。短縮ダイヤル記憶部３００は、短縮ダイヤル番号３０１毎に、相手先番号３０３、相手先名３０５、およびＩＤチェック指定３０７が記憶されている。本実施形態では、図３の設定画面２００で設定された短縮ダイヤルの設定が、図４の短縮ダイヤル記憶部３００に格納される。図４のＩＤチェック指定３０７には、図３のＩＤチェック指定欄２１３でＩＤチェックをする指定がされた場合に「０」、図３のＩＤチェック指定欄２１３でＩＤチェックをしない指定がされた場合に「１」が記録される。
【００３０】
図２に戻り、番号一時記憶部１０５は、ファックス番号受付部１０１が受け付けた電話番号を一時的に記憶する。判定部１０７は、ファックス番号受付部１０１が電話番号を受け付けたとき、番号一時記憶部１０５に格納された電話番号から、アドレス帳記憶部１０３を参照し、ＩＤチェックをするか否かの設定を読み出す。たとえば、図４の短縮ダイヤル記憶部３００のＩＤチェック指定３０７の欄を参照し、ＩＤチェックの要否を判定する。
【００３１】
判定部１０７がＩＤチェック必要と判定したとき、照合部１１７に照合の指示を行う。判定部１０７がＩＤチェック不要と判定したとき、照合部１１７に照合の指示を行わずに、送信部１１９に送信指示を行う。また、ＩＤチェックが必要と判定したとき、さらに照合部１１７からの照合結果に基づいて、送信部１１９に送信制御を行う。すなわち、後述する照合部１１７の照合結果において、電話番号が一致したとき、送信部１１９に対し、画像メモリ１７に格納された画像データの送信を許可する。一方、電話番号が一致しなかったとき、送信部１１９に対し、画像データの送信を禁止する。
【００３２】
送信指示受付部１０９は、ユーザがたとえば操作パネル上に設けられた送信開始ボタン（不図示）の押下を受け付ける。送信開始ボタンの押下を受け付けると、送信指示受付部１０９は、スキャナ２３に原稿の読み取りを指示し、スキャナ２３から原稿読み取り完了の通知を受けると、発呼部１１１に発呼を指示する。発呼部１１１は、送信指示受付部１０９からの指示に呼応して、番号一時記憶部１０５に記憶されている電話番号を発呼する。接続部１１３は、モデム２５およびＮＣＵ２７にＰＳＴＮ２９への接続指示および他のファクシミリ装置５０との通信制御指示を行う。
【００３３】
ＩＤ受信部１１５は、ＰＳＴＮ２９を介して接続された他のファクシミリ装置５０からＮＳＦ／ＣＳＩ／ＤＩＳを受信する。照合部１１７は、ＩＤ受信部１１５が受信したＣＳＩ信号に含まれる発信元電話番号の下４桁と、番号一時記憶部１０５に格納されている電話番号の下４桁が一致するか否かを照合する。本実施形態では、下４桁について照合する構成としたがこれに限定されない。照合部１１７での照合結果を判定部１０７に通知する。
【００３４】
このように構成された本実施形態のファクシミリ装置１０の動作について、以下に説明する。図５は、本実施形態のファクシミリ装置１０の動作の一例を示すフローチャートである。
【００３５】
はじめに、ＩＤチェックが不要な場合の処理について、説明する。まず、ファクシミリ装置１０において、ファックス番号受付部１０１がファクシミリ番号を受け付ける（Ｓ１１）。ここでは、ユーザが相手先として短縮ダイヤル「００２」を選択したとする。ファックス番号受付部１０１は、操作部２１が受け付けた短縮ダイヤル「００２」に基づいて、アドレス帳記憶部１０３の短縮ダイヤル記憶部３００（図４）を参照し、相手先番号「１２３４」を取得し、番号一時記憶部１０５に記憶する。
【００３６】
そして、送信開始ボタンの操作を操作部２１が受け付け（Ｓ１３）、送信指示受付部１０９がスキャナ２３に原稿の読み取りを指示し、スキャナ２３は、画像データを画像メモリ１７に格納する（Ｓ１５）。そして、発呼部１１１が番号一時記憶部１０５に記憶された電話番号を発呼する（Ｓ１７）。接続部１１３により、ＰＳＴＮ２９上の他のファクシミリ装置５０と回線が接続され、他のファクシミリ装置５０からＮＳＦ／ＣＳＩ／ＤＩＳが返信され、ＩＤ受信部１１５が受信する（Ｓ１９）。
【００３７】
判定部１０７は、アドレス帳記憶部１０３の短縮ダイヤル記憶部３００（図４）にアクセスし、ファックス番号受付部１０１が受け付けた短縮ダイヤル番号「００２」、あるいは、相手先番号「１２３４」から、ＩＤチェック指定３０７を確認する（Ｓ２１）。ここでは、「１」となっているので、ＩＤチェック不要を意味する（Ｓ２１のＮＯ）。したがって、判定部１０７は、送信部１１９に送信指示を行い、送信部１１９により、画像メモリ１７に格納されている画像データが他のファクシミリ装置５０に送信される（Ｓ２９）。
【００３８】
このように、短縮ダイヤル記憶部３００に内線番号を登録する際、ＩＤチェック不要指定を予め設定しておくことにより、ＩＤチェックを自動的に禁止することができるので、正しい相手先に接続されているのにも関わらず、送信できないといったことがなくなり、使い勝手が向上する。
【００３９】
次に、ＩＤチェックが必要な場合の処理について、説明する。まず、ファクシミリ装置１０において、ファックス番号受付部１０１がファクシミリ番号を受け付ける（Ｓ１１）。ここでは、ユーザが相手先として短縮ダイヤル「００１」を選択したとする。ファックス番号受付部１０１は、操作部２１が受け付けた短縮ダイヤル「００１」に基づいて、アドレス帳記憶部１０３の短縮ダイヤル記憶部３００（図４）を参照し、相手先番号「０３−ＸＸＸＸ−０１２３」を取得し、番号一時記憶部１０５に記憶する。
【００４０】
そして、上記と同様にステップＳ１３〜ステップＳ１９まで進む。ＩＤ受信部１１５がＮＳＦ／ＣＳＩ／ＤＩＳを受信した後、判定部１０７は、アドレス帳記憶部１０３の短縮ダイヤル記憶部３００（図４）にアクセスし、ファックス番号受付部１０１が受け付けた短縮ダイヤル番号「００１」または相手先番号「０３−ＸＸＸＸ−０１２３」から、ＩＤチェック指定３０７を確認する（Ｓ２１）。ここでは、「０」となっているので、ＩＤチェック必要を意味する（Ｓ２１のＹＥＳ）。
【００４１】
そして、照合部１１７は、ＣＳＩ信号の受信の有無を確認する（Ｓ２３）。ＣＳＩ信号が受信できなかった場合（Ｓ２３のＮＯ）、接続部１１３に回線の切断を指示し（Ｓ３１）、処理を終了する。一方、ＣＳＩ信号を受信した場合（Ｓ２３のＹＥＳ）、照合部１１７は、ＣＳＩ信号に含まれる発信元電話番号の下４桁と、番号一時記憶部１０５に格納されている電話番号の下４桁とを比較する（Ｓ２７）。ここで、番号が一致した場合（Ｓ２７のＹＥＳ）、照合部１１７は送信部１１９に送信指示を行い、送信部１１９により、画像メモリ１７に格納されている画像データが他のファクシミリ装置５０に送信される（Ｓ２９）。一方、番号が一致しなかった場合（Ｓ２７のＮＯ）、照合部１１７は接続部１１３に回線の切断を指示し（Ｓ３１）、処理を終了する。ここで、照合部１１７は、送信部１１９に送信禁止指示を行い、画像メモリ１７に格納されたデータをクリアする処理を行うこともできる。
【００４２】
以上説明したように、本発明の実施の形態のファクシミリ装置１０によれば、被呼局から返信されるＣＳＩに含まれる電話番号と発呼番号とが一致した場合にファクシミリ送信を許可するファクシミリ装置１０において、電話番号毎に被呼電話番号との照合の要否の指定ができるので、照合不要の送信先に対して照合せずに送信することが可能となる。これにより、たとえば内線番号は照合しない指定をする（図４の短縮ダイヤル記憶部３００のＩＤチェック指定３０７を「１」に指定する）ことにより、被呼局から返信される電話番号が外線番号の場合に、発呼電話番号（内線）と被呼電話番号（外線）が一致しないために正しい相手なのに送信できないといったことがなくなり、使い勝手が向上する。
【００４３】
（第二の実施の形態）
図６は、本発明の実施形態のファクシミリ装置の他の動作の一例を示すフローチャートである。本実施形態のファクシミリ装置は、図１乃至図４の上記実施形態と同様な構成を有するが、上記実施形態とは、図５のステップＳ２３でＣＳＩ信号が含まれると判定された後（Ｓ２３のＹＥＳ）、短縮ダイヤルまたはワンタッチダイヤルであるか否かの判断によって（Ｓ４１）、ＩＤチェックを行うか否かを判定する（Ｓ４３）点で相違する。以下、図２および図４も用いて説明する。
【００４４】
本実施形態のファクシミリ装置において、複数の宛先の電話番号を記憶する電話番号記憶部（アドレス帳記憶部１０３、短縮ダイヤル記憶部３００）を含み、宛先受付部（ファックス番号受付部１０１）は、電話番号記憶部の複数の宛先の電話番号の中から選択された送信先の電話番号も受け付けることができ、制御部（判定部１０７）は、宛先受付部（ファックス番号受付部１０１）が受け付けた電話番号が電話番号記憶部（アドレス帳記憶部１０３、短縮ダイヤル記憶部３００）から選択されたものでない場合は、照合部１１７により照合を行い、被呼電話番号と発呼電話番号が一致すると判定されたときに、送信部１１９に画像データを送信させ、照合部１１７により被呼電話番号と発呼電話番号が一致しないと判定されたときは、画像データの送信を禁止し、宛先受付部（ファックス番号受付部１０１）が受け付けた電話番号が電話番号記憶部（アドレス帳記憶部１０３、短縮ダイヤル記憶部３００）から選択されたものの場合は、無条件で送信部１１９に画像データを送信させる。
【００４５】
すなわち、本実施形態において、短縮ダイヤルまたはワンタッチダイヤル以外からの発信については、無条件でＩＤチェックを行い、短縮ダイヤルまたはワンタッチダイヤルからの発信については、ＩＤチェックの要否の設定に従ってＩＤチェックを行うか否かが決定される。なお、短縮ダイヤルまたはワンタッチダイヤルに登録されている電話番号以外に、電話帳に登録されている電話番号もＩＤチェックの要否の設定を設け、設定に従ってＩＤチェックを行うか否かを決定することもできる。
【００４６】
この構成によれば、頻繁に使用するワンタッチダイヤルまたは短縮ダイヤル、あるいはアドレス帳に登録されている電話番号から発信する場合は、照合を行わずに送信することができるので、内線番号が登録されているために、正しい相手なのに照合不一致のために送信できないといったこともなくなり、使い勝手が向上する。
【００４７】
（第三の実施の形態）
図７は、本発明の実施の形態に係るファクシミリ装置の短縮ダイヤル記憶部の構造の他の例を示す図である。図８は、本実施形態のファクシミリ装置の他の動作の一例を示すフローチャートである。本実施形態のファクシミリ装置は、図１乃至図４の上記実施形態と同様な構成を有するが、上記実施形態とは、図４の短縮ダイヤル記憶部３００に替えて図７の短縮ダイヤル記憶部３３０を備え、内線番号３３１に付加された指示記号３３３に基づいて、ＩＤチェックの要否を判断する（図８のＳ５１）点で相違する。
【００４８】
本実施形態のファクシミリ装置において、被呼電話番号との照合不要を示す所定の指示記号３３３が、宛先受付部（ファックス番号受付部１０１）が受け付けた電話番号に付加されているか否かを判定する判定部１０７を含むことができ、制御部（判定部１０７）は、判定部により指示記号が付加されていると判定された場合、無条件で送信部１１９に画像データを送信させる。
【００４９】
たとえば、指示記号３３３としては、図７に示すように「／Ｉ」が定義されているものとする。図３の設定画面２００において、相手先番号入力欄２０７を入力する際、番号の後に「／Ｉ」を付加して入力して相手先番号として登録しておけば、ＩＤチェック不要の設定と替えることができる。すなわち、図４の短縮ダイヤル記憶部３００のＩＤチェック指定３０７が図７の短縮ダイヤル記憶部３３０では不要となっている。
【００５０】
他の実施形態では、図４の短縮ダイヤル記憶部３００において、本実施形態の指示記号３３３を付加した電話番号を相手先番号として記憶することもでき、指示記号３３３またはＩＤチェック指定３０７の指定のいずれか、また所定の優先順位に従って、ＩＤチェックの要否を判断するようにすることもできる。
【００５１】
なお、指示記号３３３は、「／Ｉ」に限定されるものではなく、他の記号、文字、数字、これらの組み合わせなど任意に定義することができる。
【００５２】
この構成によれば、所定の指示記号３３３が付加された電話番号を受け付けた場合に、照合を省略することができる。内線番号を登録時に指示記号を付加して登録するだけでよい。
【００５３】
また、本実施形態のファクシミリ装置において、送信先の電話番号に、指示記号を付加する操作を受け付けることができる操作受付部（操作部２１）をさらに含むことができる。
【００５４】
すなわち、相手先の電話番号を操作部２１を用いてダイヤル入力する場合、ユーザが、電話番号の後に所定の指示記号を付加して入力することにより、ＩＤチェックの要否を指定することができる。すなわち、ファックス番号受付部１０１は、電話番号に加えて指示記号を受け付け、判定部１０７は、受け付けた指示記号をＩＤチェックの要否の判断に使用することができる。この構成によれば、ユーザは、電話番号に所定の指示記号を付加して入力するだけで、ＩＤチェックを省略する指定をすることができる。
【００５５】
また、ファクシミリ装置１０において、指示記号を入力するための所定の操作キーを予め対応付けておくこともできる。ファックス番号受付部１０１は、電話番号に続いて、所定の操作キーの操作を受け付け、判定部１０７は、所定の操作キーの操作に基づいて、ＩＤチェックの要否の判断を行うことができる。
【００５６】
以上、図面を参照して本発明の実施形態について述べたが、これらは本発明の例示であり、上記以外の様々な構成を採用することもできる。
【００５７】
たとえば、他の実施形態のファクシミリ装置において、設定受付部（操作部２１）は、電話番号記憶部（アドレス帳記憶部１０３、短縮ダイヤル記憶部３００）に記憶された電話番号が内線番号であることの設定を受け付けて、自動的に照合不要設定とし、それ以外は自動的に照合必要設定とすることができる。すなわち、たとえば、図４の短縮ダイヤル記憶部３００に、さらに、相手先番号３０３が内線番号であるか否かを指定する設定欄（不図示）を設け、判定部１０７は、内線番号である指定があるか否かに応じて、ＩＤチェックの要否を判定することができる。
【００５８】
この構成によれば、内線番号であることを設定した場合に自動的に照合を省略することができる。
【図面の簡単な説明】
【００５９】
【図１】本発明の実施の形態に係るファクシミリ装置の構成を示すブロック図である。
【図２】図１のファクシミリ装置の機能ブロック図である。
【図３】本実施形態のファクシミリ装置の短縮ダイヤル設定画面の一例を示す図である。
【図４】図２のアドレス帳記憶部に含まれる短縮ダイヤル記憶部の構造の一例を示す図である。
【図５】本実施形態のファクシミリ装置の動作の一例を示すフローチャートである。
【図６】本発明の実施形態のファクシミリ装置の他の動作の一例を示すフローチャートである。
【図７】本発明の実施の形態に係るファクシミリ装置の短縮ダイヤル記憶部の構造の他の例を示す図である。
【図８】本実施形態のファクシミリ装置の他の動作の一例を示すフローチャートである。
【符号の説明】
【００６０】
１０  ファクシミリ装置
１１  ＣＰＵ
１３  ＲＯＭ
１５  ＲＡＭ
１７  画像メモリ
１９  表示部
２１  操作部
２３  スキャナ
２５  モデム
２７  ＮＣＵ
２９  ＰＳＴＮ
３１  印字出力部
３３  バス
５０  ファクシミリ装置
１０１  ファックス番号受付部
１０３  アドレス帳記憶部
１０５  番号一時記憶部
１０７  判定部
１０９  送信指示受付部
１１１  発呼部
１１３  接続部
１１５  ＩＤ受信部
１１７  照合部
１１９  送信部
３００  短縮ダイヤル記憶部
３０１  短縮ダイヤル番号
３０３  相手先番号
３０７  ＩＤチェック指定
３３０  短縮ダイヤル記憶部
３３１  内線番号
３３３  指示記号
【図１】
2008141333.tif 000003
【図２】
2008141333.tif 000004
【図３】
2008141333.tif 000005
【図４】
2008141333.tif 000006
【図５】
2008141333.tif 000007
【図６】
2008141333.tif 000008
【図７】
2008141333.tif 000009
【図８】
2008141333.tif 000010